(57)【特許請求の範囲】
【請求項１】
取付面に対向した状態で互いに上下方向に離間して配置され、かつその長手方向各一端側が取付面に対して固定されていると共に、その各他端側が取付面に対して移動可能に支持され、各一端側と各他端側との間の長手方向中央部が取付面に対してフリー状態となっている第１及び第２の可撓性部材と、第１及び第２の可撓性部材に取付けられた物入れ袋と、第１及び第２の可撓性部材の各他端側をその各一端側に接近する向きに移動させ、当該第１及び第２の可撓性部材の長手方向中央部を前記取付面から離間する向きに湾曲変形させるためのスライド部材とを具備して成る物入れ装置。
【請求項２】
互いに水平方向に離間して配置され、かつ前記取付面に対して固定された第１及び第２のスペーサを具備し、その第１のスペーサに前記第１及び第２の可撓性部材の各一端側が固定され、かつ第２のスペーサに、前記スライド部材が、第１及び第２の可撓性部材の一端側に対して接近又は離間する方向に移動可能に支持されていて、上側の第１の可撓性部材は、取付面から離間し、下側の第２の可撓性部材は取付面に当接している請求項１に記載の物入れ装置。
【請求項３】
前記第１及び第２の可撓性部材が板ばねより成る請求項１又は２に記載の物入れ装置。
【発明の詳細な説明】
【０００１】
【発明の属する技術分野】
本発明は、物入れ袋内に小物を収納する物入れ装置に関する。
【０００２】
【従来の技術】
従来より、鉄道車両、自動車、航空機、船舶又は劇場などに設置される座席の背面や、その他の取付面に上記形式の物入れ装置を取付け、ここに雑誌や新聞紙などの小物を収納できるようにしている。このような物入れ装置に小物を収納するときは、その物入れ袋の上部を手で手前に引いて当該上部を開き、ここから物入れ袋内に小物を入れる。物入れ袋内の物を廃棄するときも、一方の手で物入れ袋上部を引いてここを開き、その上部から他方の手を入れ、収納した小物を取り出すのであるが、このような作業は、時に大変煩雑なものとなる。例えば、鉄道車両内の各座席に取付けられた物入れ装置から小物を取り出す作業は、専門の清掃作業者により行われるが、このとき作業者は、各物入れ毎に、上述した作業を行わなければならず、その全作業を完了するのに多大な時間と手間を必要とする。
【０００３】
【発明が解決しようとする課題】
本発明は、上述した新規な認識に基づきなされたものであって、その目的とするところは、従来と同様に簡単に物入れ袋内に小物を入れることができると共に、これを廃棄するときも極く簡単な操作でその小物を物入れ袋から取り出せるようにした物入れ装置を提供することにある。
【０００４】
【課題を解決するための手段】
本発明は、上記目的を達成するため、取付面に対向した状態で互いに上下方向に離間して配置され、かつその長手方向各一端側が取付面に対して固定されていると共に、その各他端側が取付面に対して移動可能に支持され、各一端側と各他端側との間の長手方向中央部が取付面に対してフリー状態となっている第１及び第２の可撓性部材と、第１及び第２の可撓性部材に取付けられた物入れ袋と、第１及び第２の可撓性部材の各他端側をその各一端側に接近する向きに移動させ、当該第１及び第２の可撓性部材の長手方向中央部を前記取付面から離間する向きに湾曲変形させるためのスライド部材とを具備して成る物入れ装置を提案する（請求項１）。
【０００５】
その際、互いに水平方向に離間して配置され、かつ前記取付面に対して固定された第１及び第２のスペーサを具備し、その第１のスペーサに前記第１及び第２の可撓性部材の各一端側が固定され、かつ第２のスペーサに、前記スライド部材が、第１及び第２の可撓性部材の一端側に対して接近又は離間する方向に移動可能に支持されていて、上側の第１の可撓性部材は、取付面から離間し、下側の第２の可撓性部材は取付面に当接していると有利である（請求項２）。
【０００６】
さらに、上記各構成において、前記第１及び第２の可撓性部材が板ばねより成ると特に有利である（請求項３）。
【０００７】
【発明の実施の形態】
以下、本発明の実施形態例を図面に従って詳細に説明する。
【０００８】
図１は、鉄道車両の客室内に配置された座席のシートバック１を示し、このシートバック１は、図示していないシートバックフレーム及びクッション材と、これらのまわりを覆う表皮材２と、その背面側に設けられていて、ねじ３によって上記シートバックフレームに固定された背面ボード４とを有している。この背面ボード４に物入れ装置５が装着され、図示した座席よりも後方に位置する図示していない座席に着座した乗客によってその物入れ装置５が使用される。
【０００９】
図２は上記物入れ装置５の正面図、図３はその右側面図、図４はその平面図、さらに図５はその一部の要素を破断して示した分解斜視図である。
【００１０】
ここに示した物入れ装置５は、上下方向に互いに離間して位置する第１及び第２の可撓性部材６，６Ａと、これらの可撓性部材６，６Ａに取付けられた物入れ袋７を有し、図示した例では両可撓性部材６，６Ａが板ばねによって構成されている。乗客がこの物入れ装置５の物入れ袋７に、図示していない雑誌や新聞紙などの小物を入れるときは、上側の第１の可撓性部材６を図１及び図４に鎖線で示すように手前側に引いてこれを湾曲変形させ、物入れ袋７の上部を開き、ここから物入れ袋７内に小物を収容する。このとき、下側の第２の可撓性部材６Ａは、図１に実線で示すように変形せず、背面ボード４に形成された膨隆部４Ａより成る取付面に当接したままである。このため物入れ袋７内に入れられた小物は、その物入れ袋内に支障なく収納される。
【００１１】
物入れ袋７内の小物を廃棄するときは、後に詳しく説明するように、第１及び第２の可撓性部材６，６Ａを共に図１に鎖線で示すように湾曲変形させ、物入れ袋７の下部を開き、ここから内部の小物を下方に落下させる。
【００１２】
以上が物入れ装置５の概略構成であるが、以下にその詳細を明らかにする。
【００１３】
物入れ装置５は、互いに水平方向に離間して配置された剛体より成る第１及び第２のスペーサ８，８Ａを有し、これらのスペーサ８，８Ａは、互いに平行に位置していると共に、上下方向に長く延びていて、それぞれねじ９，９Ａによって、前述のシートバックフレームに固定されている。この例では、シートバック１の背面ボード４が物入れ装置５の取付面を構成するが、この背面ボード４はシートバックフレームに固定されているので、第１及び第２のスペーサ８，８Ａは、物入れ装置５の取付面、すなわち背面ボード４に対しても固定される。
【００１４】
一方、前述の第１及び第２の可撓性部材６，６Ａは、背面ボード４によって構成された取付面に対向した状態で互いに平行に延びており、本例の可撓性部材６，６Ａは、細長いばね材を２つ折りにした板ばねにより構成されている。第１及び第２の可撓性部材６，６Ａの一端側１０，１０Ａは、第１の連結片１１によって連結されている。その際、上側の第１の可撓性部材６の一端側１０と第１の連結片１１の上部は、第１のスペーサ８に前述のねじ９によって固定され、下側の第２の可撓性部材６Ａの一端側１０Ａと第１の連結片１１の下部も、前述のねじ９によって第１のスペーサ８に固定されている。このようにして、第１のスペーサ８に第１及び第２の可撓性部材６，６Ａの各一端側１０，１０Ａが固定され、これによって第１及び第２の可撓性部材６，６Ａの長手方向各一端側１０，１０Ａが、背面ボード４より成る取付面に対して固定される。
【００１５】
第１及び第２の可撓性部材６，６Ａの他端側１２，１２Ａも、第２の連結片１１Ａによって連結されていて、両可撓性部材６，６Ａと両連結片１１，１１Ａとに、物入れ袋７の縁部が例えば接着剤によって一体に取付けられている。このように、連結片１１，１１Ａは、物入れ袋７の縁部を係止するためのものである。また第２の連結片１１Ａは、例えばゴムシート、ゴムひも又は軟質合成樹脂シートなどの弾性材ないしは可撓性材料より成り、第１の連結片１１は、剛体、弾性材又は可撓性材料のいずれから構成されていてもよい。物入れ袋７は、布、樹脂シートなどの適宜な可撓性材料により構成され、図示した例では可撓性を有する網体より成る物入れ袋７が使用されている。
【００１６】
第２のスペーサ８Ａには、前述のねじ９Ａによって、剛体より成るホルダ１３が固定され、当該ホルダ１３も背面ボード４より成る取付面に対して固定されている。ホルダ１３の上部と下部は、互いに対向する向きに曲折形成され、ここに上下のガイド溝１４，１４Ａが形成され、かかるガイド溝１４，１４Ａには、スライド部材１５の上部と下部、及び前述の第１及び第２の可撓性部材６，６Ａの各他端側１２，１２Ａが、それぞれ当該可撓性部材６，６Ａの一端側１０，１０Ａに対して接近又は離間する方向に移動可能に保持されている。
【００１７】
上述のようにして、スライド部材１５は、ホルダ１３を介して、第２のスペーサ８Ａに、第１及び第２の可撓性部材６，６Ａの一端側１０，１０Ａに対して接近又は離間する方向に移動可能に支持されている。同様に、第１及び第２の可撓性部材６，６Ａの各他端側１２，１２Ａが、背面ボード４より成る取付面に対して、その一端側１０，１０Ａに対して接近又は離間する方向に移動可能に支持されている。しかも、第１及び第２の可撓性部材６，６Ａの各一端側１０，１０Ａと各他端側１２，１２Ａとの間の長手方向中央部２５，２５Ａは、背面ボード４より成る取付面に対してフリー状態となっている。その際、湾曲変形していないときの上側の第１の可撓性部材６は、背面ボード４より成る取付面から、わずかな間隔をあけて離間し、同じく湾曲変形していない下側の第２の可撓性部材６Ａは、背面ボード４の膨隆部４Ａより成る取付面に当接している。
【００１８】
スライド部材１５は、剛体により構成されていて、板材より成る基部１６と、その基部１６に固着された取手１７を有している。基部１６の上部と下部には、ピン１８，１８Ａより成る加圧片がそれぞれ突設され、その各ピン１８，１８Ａは、第１及び第２の可撓性部材６，６Ａの各他端側１２，１２Ａに穿設された長孔１９，１９Ａにそれぞれ摺動自在に嵌合している。各長孔１９，１９Ａは、第１及び第２の可撓性部材６，６Ａの長手方向、すなわち水平方向に長く延びている。第１及び第２の可撓性部材６，６Ａが湾曲変形していない状態で、各ピン１８，１８Ａは、各可撓性部材６，６Ａの一端側１０，１０Ａに近い方の長孔端部２０，２０Ａに当接している。
【００１９】
また、第２のスペーサ８Ａとホルダ１３には、ねじ２１，２１Ａによって上下一対の円筒状のストッパ２２，２２Ａがそれぞれ固定され、これらのストッパ２２，２２Ａは、スライド部材１５に形成された上下の各切欠２３，２３Ａにそれぞれ相対摺動自在に嵌合している。
【００２０】
物入れ袋７に小物を収容するときは、前述のように、図１に示した座席の後方の座席に着座した乗客が上側の第１の可撓性部材６を手前側、すなわち背面ボード４から後方に離間する向きに引く。これによって、第１の可撓性部材６の他端側１２がその一端側１０に近づく向きに移動する。しかも、その一端側１０は背面ボード４に対して固定されているので、第１の可撓性部材６は、図１及び図４に鎖線で示すように、その長手方向中央部２５が背面ボード４から離間する向きに湾曲変形する。このとき、スライド部材１５が作動することはなく、これに突設されたピン１８が第１の可撓性部材６に形成された長孔１９に対して相対的に摺動し、第１の可撓性部材６の他端側１２は支障なく移動する。
【００２１】
上述のようにして物入れ袋７の上部が開くので、後方座席の乗客は、その開放した上部の口から新聞紙などの小物を物入れ袋７内に収容することができる。このとき、第２の連結片１１Ａは軟質な弾性ないしは可撓性材料より成るので、第１の可撓性部材６の他端側１２が作動しても、第２の連結片１１Ａは変形するだけで、第１の可撓性部材６の動きを第２の可撓性部材６Ａに伝えることはない。よって、第２の可撓性部材６Ａの他端側１２Ａが作動することはない。このように、下側の第２の可撓性部材６Ａは変形せず、背面ボード４の膨隆部４Ａに当接したままであるため、物入れ袋７内の小物が下方に落下することはない。乗客が第１の可撓性部材６から手を離せば、その可撓性部材６は板ばねより成るため、その弾性によって当該可撓性部材６は自動的に元の状態に戻り、物入れ袋内の小物を保持する。
【００２２】
ここで、清掃作業者が物入れ袋７内の小物を取り出すときは、スライド部材１５の取手１７を手で掴んで、これを第１及び第２の可撓性部材６，６Ａの一端側１０，１０Ａに接近する向き（図２の矢印Ｐ方向）に移動させる。ストッパ２２，２２Ａが、スライド部材１５に形成された切欠２３，２３Ａの端部２４，２４Ａに当ったところでスライド部材１５は停止する。
【００２３】
この動作により、スライド部材１５に突設された上下のピン１８，１８Ａが、第１及び第２の可撓性部材６，６Ａに形成された長孔１９，１９Ａの端部２０，２０Ａを加圧し、しかも第１及び第２の可撓性部材６，６Ａの一端側１０，１０Ａは背面ボード４に対して固定されているので、先にも説明したように、第１及び第２の可撓性部材６，６Ａの長手方向中央部２５，２５Ａが、図１及び図４に鎖線で示す如く、背面ボード４から離間する向きに湾曲変形し、物入れ袋７の上部と下部が開く。このため、その下部の開口から物入れ袋内の小物を下方に落下させ、或いはこの下部開口から物入れ袋７内の小物を容易に取り出すことができる。
【００２４】
このように、スライド部材１５は、第１及び第２の可撓性部材６，６Ａの各他端側１２，１２Ａをその各一端側１０，１０Ａに接近する向きに移動させ、第１及び第２の可撓性部材６，６Ａの長手方向中央部２５，２５Ａを背面ボード４より成る取付面から離間する向きに湾曲変形させる用をなす。
【００２５】
物入れ袋内の小物を下部開口から取り出した後、スライド部材１５から手を離せば、板ばねより成る可撓性部材６，６Ａの弾性によって、その可撓性材料６，６Ａとスライド部材１５は元の状態に復帰する。
【００２６】
上述のように、本例の物入れ装置５は、背面ボード４より成る取付面に対向した状態で互いに上下方向に離間して配置され、かつその長手方向各一端側１０，１０Ａが取付面に対して固定されていると共に、その各他端側１２，１２Ａが取付面に対して移動可能に支持され、各一端側１０，１０Ａと各他端側１２，１２Ａとの間の長手方向中央部２５，２５Ａが取付面に対してフリー状態となっている第１及び第２の可撓性部材６，６Ａと、第１及び第２の可撓性部材６，６Ａに取付けられた物入れ袋７と、第１及び第２の可撓性部材６，６Ａの各他端側１２，１２Ａをその各一端側１０，１０Ａに接近する向きに移動させ、当該第１及び第２の可撓性部材６，６Ａの長手方向中央部２５，２５Ａを取付面から離間する向きに湾曲変形させるためのスライド部材１５とを具備しており、かかる構成により、従来と全く同様に、物入れ袋７に小物を入れることができ、しかもその小物をワンタッチ操作で物入れ袋７から取り出すことができる。客室内に多数の物入れ装置５が設けられていても、短時間でその清掃作業を行うことができる。
【００２７】
また図示した物入れ装置５においては、互いに水平方向に離間して配置され、かつ取付面に対して固定された第１及び第２のスペーサ８，８Ａを具備し、その第１のスペーサ８に第１及び第２の可撓性部材６，６Ａの各一端側１０，１０Ａが固定され、かつ第２のスペーサ８Ａに、スライド部材１５が、第１及び第２の可撓性部材６，６Ａの一端側１０，１０Ａに対して接近又は離間する方向に移動可能に支持されていて、上側の第１の可撓性部材６は、取付面から離間し、下側の第２の可撓性部材６Ａは取付面に当接している。このように、第１及び第２のスペーサ８，８Ａを背面ボード４より成る取付面に対して固定することによって、変形していないときの第１の可撓性部材６の長手方向中央部を取付面から所定の間隔をあけて対置させている。これにより、乗客は、上側の第１の可撓性部材６に容易に指を掛け、これを手前側に引くことができる。このとき、下側の可撓性部材６Ａは取付面に接触しているので、前述の如く、物入れ袋７に収容された小物が下方に落下することを阻止できる。
【００２８】
さらに、本例の物入れ装置５は、取付面に対して固定されていて、スライド部材１５の上部と下部、及び第１及び第２の可撓性部材６，６Ａの各他端側１２，１２Ａを、当該可撓性部材６，６Ａの一端側１０，１０Ａに対して接近又は離間する方向に移動可能に保持するホルダ１３を具備しているので、第１及び第２の可撓性部材６，６Ａの他端側１２，１２Ａとスライド部材１５を、簡単な構成によって確実に取付面に対して移動可能に保持することができる。
【００２９】
また第１及び第２の可撓性部材６，６Ａは、ゴム、軟質合成樹脂、又は皮革などの適宜な可撓性材料によって構成することもできるが、これらの第１及び第２の可撓性部材６，６Ａを、弾性部材、特に図示した例のように板ばねにより構成すると、スライド部材１５を作動させて可撓性部材６，６Ａを湾曲変形させた後、スライド部材１５から手を離せば、その可撓性部材６，６Ａの弾性によって、当該可撓性部材６，６Ａとスライド部材１５を自動的に初期状態に戻すことができ、スライド部材１５を手で初期位置に戻す操作を不要なものにすることができる。
【００３０】
本発明は、鉄道車両の客室内に配置された座席に限らず、その他のいずれの個所に設けられる物入れ装置にも適用できるものである。
【００３１】
【発明の効果】
請求項１に記載の物入れ装置によれば、従来と全く同様に、物入れ袋に小物を入れることができ、しかもその小物をワンタッチ操作で物入れ袋から取り出すことができる。多数の物入れ装置が設けられていても、短時間でその清掃作業を行うことができる。
【００３２】
請求項２に記載の物入れ装置によれば、第１及び第２のスペーサを取付面に対して固定することによって、変形していないときの第１の可撓性部材の長手方向中央部を取付面から所定の間隔をあけて対置させることができ、これにより、上側の第１の可撓性部材に容易に指を掛け、これを手前側に引くことができる。このとき、下側の可撓性部材は取付面に接触しているので、物入れ袋に収容された小物が下方に落下することを阻止できる。
【００３３】
請求項３に記載の物入れ装置によれば、スライド部材を作動させて可撓性部材を湾曲変形させた後、スライド部材から手を離せば、その可撓性部材の弾性によって、当該可撓性部材とスライド部材を自動的に初期状態に戻すことができ、スライド部材を手で初期位置に戻す操作は不要である。
【図面の簡単な説明】
【図１】物入れ装置が取付けられたシートバックを示す斜視図である。
【図２】物入れ装置の正面図である。
【図３】図２の右側面図である。
【図４】図２の平面図である。
【図５】物入れ装置の分解斜視図である。
【符号の説明】
６  第１の可撓性部材
６Ａ  第２の可撓性部材
７  物入れ袋
８  第１のスペーサ
８Ａ  第２のスペーサ
１０  一端側
１０Ａ  一端側
１２  他端側
１２Ａ  他端側
１５  スライド部材
２５  中央部
２５Ａ  中央部
【図１】
0003800572.tif 000002
【図２】
0003800572.tif 000003
【図３】
0003800572.tif 000004
【図４】
0003800572.tif 000005
【図５】
0003800572.tif 000006